(57)【特許請求の範囲】
【請求項１】
ブラシ付き容器に収容された塗布洗浄剤であって、
前記塗布洗浄剤が、次の成分、
（イ）脂肪酸アルカノールアミン塩及びノニオン界面活性剤と、（ロ）キレート剤とを含み、
前記ブラシ付き容器は開口部を有する容器本体と、塗布体とを備えており、
前記容器本体は、底部と、胴部と、開口部とを有しており、
前記塗布体が前記容器の開口部に取付けられた取付部と、前記容器本体の内部及び外部を連通する液流出孔を有する上部とを有しており、
前記液流出孔から流出した塗布洗浄剤を被塗布体に塗布するための刷毛部が前記上部に設けられており、前記刷毛部の刷毛の断面形状が三角形であり、前記刷毛部の刷毛の先端角度は１０度〜６０度の範囲内であり、前記刷毛部を設けた前記上部の中心軸線と、前記容器本体の底部を含む平面との間のなす角度が９０°以上であって１５０°以下である、ことを特徴とする、ブラシ付き容器入り塗布洗浄剤。
【発明の詳細な説明】
【０００１】
【発明の属する技術分野】
本発明は、ブラシ付き容器入り塗布洗浄剤に関する。特に、本発明は、靴下等の繊維製品の泥汚れに対し良好な洗浄力を有し、且つ繊維への損傷がないブラシ付き容器入り塗布洗浄剤に関する。
【０００２】
【従来の技術】
従来から、通常の洗濯のみで落ちにくい繊維製品の汚れに対して、事前に液体洗浄剤や固体石鹸を塗り付けることが一般に行われている。これら事前処理のための液体洗浄剤としては、例えば、特開昭５８−４７１００号公報では、トリリン酸ナトリウム、アニオン系洗剤およびノニオン系洗剤を組み合わせた組成が開示されている。また、特開昭５９ー７８３００号公報では、ノニオン性洗剤、アニオン性洗剤、ビルダーおよびアルカリ金属珪酸塩を組み合わせた組成が開示されている。また、特開昭６０−１０１１９９号公報では、特定の界面活性剤とキレート剤を組み合わせた組成物が開示されている。また、特開昭６１−６０７９７号公報では、オレイン酸を含む液体洗浄剤組成物を合成樹脂容器に納入した容器入り液体洗浄剤が開示されている。
しかしながら、上記した組成物や固体石鹸を塗布することにより、洗浄力を高めることは可能であるが、靴下等の繊維の奥に入り込んだ汚れを完全に除去することができないため、塗布後さらに手でもみ洗いしたり、ブラシで擦ったりする等の手間をかけることが広く行われている。泥汚れ等の頑固な汚れを落とすには非常な労力を要し、現状ではこのような汚れを容易に除去できる洗浄剤はまだ十分に研究されていなかった。
一方、塗布剤を的確に塗布するための手段として、塗布剤を含有したブラシ容器に関して、例えば、実開平１−３００２４号公報では専用ブラシの台座他面に、両側列が一定の傾斜を有する多数の長歯体と、長歯体の各列間に多数の短歯体を列設してなる汎用ブラシを構成し、ペースト状乃至はムース状の染毛剤等を確実に保持できる染毛用ブラシが開示されている。また、実開平６−４６６０４号公報ではポンプ式の吐出容器に、シリンダと連通する中空櫛を一体的に連結した櫛付き吐出容器が開示されている。
しかしながら、これらの容器の用途はいずれも髪の毛を染めたり整髪することが主であり、繊維製品の汚れを効果的に除去するものではなかった。以上のように、泥汚れ等の落としにくい汚れを簡易に、且つ、効果的に除去し、繊維に損傷を与えない洗浄剤の研究は十分になされていなかった。
【０００３】
【発明が解決しようとする課題】
従って、本発明の目的は、泥汚れの除去効果が大きい塗布洗浄剤を含有し、容易かつ効果的に泥汚れを除去することができ、しかも、繊維に損傷を与えないブラシ付き塗布洗浄剤を提供することにある。
【０００４】
【課題を解決するための手段】
本発明は、特定の構造を有するブラシ付き容器と塗布洗浄剤とを組み合わせることにより、上記課題を解決することができるとの知見に基づいてなされたものである。
すなわち、本発明は、
ブラシ付き容器に収容された塗布洗浄剤であって、
前記塗布洗浄剤が次の成分
（イ）界面活性剤、及び
（ロ）キレート剤
を含み、
前記ブラシ付き容器は開口部を有する容器本体と、塗布体とを備えており、
前記塗布体が前記容器の開口部に取付けられた取付部と、前記容器本体の内部及び外部を連通する液流出孔を有する上部とを有し、
前記液流出孔から流出した塗布洗浄剤を被塗布体に塗布するための刷毛部が前記上部に設けられている、
ことを特徴とする、ブラシ付き容器入り塗布洗浄剤を提供する。
このように構成することにより、容易かつ効果的に泥汚れを除去することができ、しかも、繊維に損傷を与えることはない。
また、本発明のブラシ付き容器入り塗布洗浄剤においては、塗布洗浄剤を充填する容器のブラシは断面が三角形状であり、その先端の角度が６０度以下であるのが好ましい。
【０００５】
【発明の実施の形態】
本発明の塗布洗浄剤が含有する成分（イ）は、通常洗浄剤に使用する任意の界面活性剤であってよいが、好ましくはアニオン界面活性剤又はノニオン界面活性剤である。
アニオン界面活性剤の例としては、炭素数８〜２２の脂肪酸塩、炭素数８〜１６のアルキルベンゼンスルホン酸塩、炭素数１０〜２０のアルキル硫酸塩又はアルケニル硫酸塩、炭素数１０〜２０のオレフィンスルホン酸塩、炭素数１０〜２０のアルキル基又はアルケニル基を有し、平均0.５〜８モルのエチレンオキシドを付加したアルキルエーテル硫酸塩又はアルケニルエーテル硫酸塩、炭素数１０〜２０のアルキルグリセリルエーテルスルホン酸塩、炭素数１０〜２０のα−スルホ脂肪酸塩又は低級（炭素数１〜６）アルキルエステル等が挙げられる。これらのうち、特に脂肪酸塩が好適に使用される。脂肪酸は、炭素数が８〜２２の範囲にあるものが好ましく、カプリル酸、カプリン酸、ラウリン酸、ミリスチン酸、パルミチン酸、ステアリン酸等の飽和脂肪酸、またはオレイン酸、リノール酸、リノレイン酸等の不飽和脂肪酸のいずれであってもよい。特に泥汚れを洗浄する能力の観点から、オレイン酸が最も好ましい。脂肪酸塩としては、ナトリウム、カリウム等の金属塩、アルカノールアミン塩等が挙げられる。これらのうち、特にアルカノールアミン塩が好ましい。アルカノールアミンは、モノアルカノールアミン、ジアルカノールアミン、トリアルカノールアミンのいずれであってもよく、各アルキレン基の炭素数が１〜１０の範囲にあるものが好ましい。具体的には、モノエタノールアミン、ジエタノールアミン、トリエタノールアミン等を使用することができる。ジエタノールアミンが特に好適である。
【０００６】
ノニオン界面活性剤の例としては、ポリオキシエチレン（平均付加モル数１〜２０）アルキル（炭素数１０〜２２）又はアルケニル（炭素数１０〜２２）エーテル、ポリオキシエチレン（平均付加モル数１〜２０）ポリオキシプロピレン（平均付加モル数１〜２０）アルキル（炭素数１０〜２２）又はアルケニル（炭素数１０〜２２）エーテル、ポリオキシエチレン（平均付加モル数１〜２０）アルキル（炭素数１０〜２２）フェニルエーテル、ポリオキシエチレン（平均付加モル数１〜２０）ソルビタン脂肪酸（炭素数１０〜２２）エステル、ポリオキシエチレン（平均付加モル数１〜２０）ソルビット脂肪酸（炭素数１０〜２２）エステル、ポリオキシエチレン（平均付加モル数１〜２０）グリコール脂肪酸（炭素数１０〜２２）エステル、ポリオキシエチレン（平均付加モル数１〜２０）アルキル（炭素数１０〜２２）アミン、グリセリン脂肪酸（炭素数１０〜２２）エステル、高級脂肪酸（炭素数６〜１０）アルカノール（炭素数２〜１０）アミド、アルキル（炭素数１０〜２２）グリコシド、及びアルキル（炭素数２〜１０）アミンオキサイドが挙げられる。具体的には、商品名エマレックス７０７として市販されているもの等が好適である。
【０００７】
本発明の塗布洗浄剤が含有する成分（イ）としては、上記界面活性剤の１種又は２種以上を組み合わせて使用することが可能であるが、少なくとも１種以上のアニオン界面活性剤を含むのが好ましく、特に泥汚れに対する効果の観点から、脂肪酸塩、特に脂肪酸アルカノールアミン塩、中でもオレイン酸アルカノールアミン塩を含むのが好ましい。更に、アニオン活性剤、特に脂肪酸塩に加えて、ノニオン界面活性剤を併用するのが一層好適である。
本発明の塗布洗浄剤において、界面活性剤を、洗浄剤の重量を基準として３〜５０重量％の範囲で配合することができ、５〜３０重量％の範囲で配合するのが好ましい。特に、アニオン界面活性剤、中でもＣ8 〜Ｃ22脂肪酸のアルカノールアミン塩を、洗浄剤の重量を基準として１〜３０重量％、好ましくは３〜２０重量％の範囲で配合するのが望ましく、５〜１６重量％の範囲で配合するのが更に好ましい。更に、アニオン活性剤に加えて、ノニオン界面活性剤を、アニオン界面活性剤：ノニオン界面活性剤の重量比が１：１０〜２０：１、好ましくは１：５〜１０：１、特に好ましくは１：１〜５：１となる範囲で併用するのが望ましい。
【０００８】
本発明の塗布洗浄剤が含有する成分（ロ）は、キレート剤である。キレート剤は、公知の任意のものであってよいが、有機キレート剤が好ましく、例としてはエチレンジアミン四酢酸、ジエチレントリアミン五酢酸等のアミノポリカルボン酸類又はそのアルカリ金属塩等の塩類、トリポリリン酸塩、ポリリン酸塩等の無機リン化合物、１−ヒドロキシエタン−１，１−ジホスホン酸、２−ホスホノ−１，２，４−トリカルボン酸等のホスホン酸類又はそのアルカリ金属塩等の塩類、フィチン酸等の有機リン酸化合物等を挙げることができる。洗浄剤の洗浄力の点からホスホン酸類が好ましく、特に１−ヒドロキシエタン−１，１−ジホスホン酸が好適である。
本発明の塗布洗浄剤において、キレート剤を、洗浄剤の重量を基準として0.１〜５重量％の範囲で配合するのが、洗浄剤の洗浄力及び経済性の観点から好ましく、0.５〜４重量％の範囲で配合するのが更に好ましい。
【０００９】
本発明の塗布洗浄剤は更に、洗浄力向上の観点から、アルカリ剤を含むのが好ましい。アルカリ剤の例としては、カセイソーダ、カセイカリ、アンモニア、及びモノエタノールアミン、ジエタノールアミン、トリエタノールアミン等のアルカノールアミン等が挙げられる。
これらのアルカリ剤は洗浄剤中0.１〜２０重量％となるように配合するのがよい。
本発明の塗布洗浄剤はまた、低級アルコール、多価アルコール、エーテル等の溶剤を含むのが好ましい。本発明の塗布洗浄剤は更に、ビルダー、ハイドロトロープ剤、酵素、蛍光増白剤、香料、色素、増粘剤等を含有することができる。
本発明の塗布洗浄剤は、成分（イ）、成分（ロ）及び必要に応じてその他の成分に、イオン交換水等の水を加えて調製することができる。
本発明の塗布洗浄剤の粘度は、洗浄剤が容器から必要に応じて適宜排出される程度のものであれば特に制限はないが、５〜1000センチポアズ、好ましくは５〜500 センチポアズの範囲にあるのが望ましい。
【００１０】
以下に、本発明の実施の形態を図面に基づいて説明する。
図１を参照すると、本発明のブラシ付き容器入り塗布洗浄剤１００は、容器本体１０２を有する。容器本体１０２は底部１０２ａと、胴部１０２ｂと、開口部１０２ｃとを有する。容器本体１０２は、例えば、ブロー成形によって成形された合成樹脂製のものである。
容器本体１０２は開口部１０２ｃを上側にして、底部１０２ａを用いて静置することができるような形態に構成されている。底部１０２ａには、例えば、図１に示すようにほぼ平坦になった部分が設けられる。或いは、底部１０２ａに３個以上の突起部を設け、これらの突起により容器本体１０２を静置することができるように構成してもよい。
容器本体１０２の底部１０２ａを胴部１０２ｂより大きく構成し、底部１０２ａを下側にして容器本体１０２を確実に静置することができるようにするのが好ましい。
塗布洗浄剤１０４が容器本体１０２の内部に収容されている。
塗布体１０６が容器本体１０２の開口部１０２ｃに取付けられる。塗布体１０６は取付部１０６ａ及び上部１０６ｂを有する。塗布体１０６の取付部１０６ａは開口部１０２ｃの外周部１０２ｄに、ねじ込まれてもよいし、或いは、外周部１０２ｄに圧入されてもよい。
液流出孔１０６ｃが塗布体１０６のほぼ円板形の上部１０６ｂに設けられる。液流出孔１０６ｃは容器本体１０２の内部と容器本体１０２の外部とを連通する。液流出孔１０６ｃは円形の貫通孔であり、上部１０６ｂのほぼ中央に形成されている。複数の液流出孔１０６ｃを設けてもよい。
液流出孔１０６ｃは上部１０６ｂの外周部よりも取付部１０６ａに近い位置に配置されるように設けられる。すなわち、上部１０６ｂは取付部１０６ａに向かう方向に先細になった円錐面１０６ｅを有する形態であり、その円錐面１０６ｅの頂点部付近に液流出孔１０６ｃが設けられている。
図１では、円錐面１０６ｅの中心軸線１０６ｆと、容器本体１０２の底部１０２ａを含む平面１０２ｆとの間のなす角度αは直角でないが、円錐面１０６ｅの中心軸線１０６ｆと平面１０２ｆと間のなす角度は、ほぼ直角であってもよく、あるいは直角よりも大きな角度でもよい。具体的には、９０°≦α≦１５０°、好ましくは９０°≦α≦１３５°である。
液流れ防止用壁１０６ｄが上部１０６ｂの外周部に設けられている。液流れ防止用壁１０６ｄは上部１０６ｂの全周にわたって設けられている。
複数のブラシ１１０が上部１０６ｂに、容器の外部方向に向かって設けられている。ブラシ１１０は基部１１０ａと、刷毛部１１０ｂからなる。基部１１０ａが上部１０６ｂに固定される。ブラシ１１０を上部１０６ｂと別個に形成して、上部１０６ｂに植毛又ははめ込みによって固定する。ブラシ１１０を上部１０６ｂと一体成形することによって構成してもよい。
刷毛部１１０ｂは、液流出孔１０６ｃから流出した塗布洗浄剤１０４を含んで被塗布体に塗布するのに役立つ。
【００１１】
汚れの除去効果が高く、繊維への損傷を避けるためには、ブラシ１１０の先端形状及びブラシ１１０の硬さが重要である。
ブラシ先端の強度を十分なものとし、良好な洗浄力を得るとともに、繊維の損傷を防止する観点から、ブラシ１１０の先端角度θは１０度〜６０度の範囲内であるのが好ましく、２０度〜４０度の範囲内であるのが更に好ましい。
ブラシ１１０の断面形状は円形であってもよく、四角形であってもよく、或いは、三角形であってもよい。また、ブラシ１１０の断面形状は楕円形や多角形等の他の形状であってもよい。細くて弾力性がありかつ汚れの除去効果の高い形状としては、ブラシ１１０の断面形状は三角形であるのが好ましい。
ブラシ全体の強度を力を入れてブラッシングをするのに十分なものとし、かつブラシ自身の硬さをスムーズにブラッシングするのに好適なものとするため、ブラシ１１０の根本太さｔは０．５〜２ｍｍの範囲内にあるのが好ましく、０．８〜１．５ｍｍの範囲内にあるのが更に好ましい。
靴下等の厚みのある衣料をブラッシングすることを容易にし、かつブラシを長期間使用してもブラシがへたりにくいものとするため、ブラシ１１０の毛の長さＬは５〜１５ｍｍの範囲内にあるのが好ましい。
【００１２】
ブラシに用いられるポリマー種は、ポリエチレン、ポリプロピレン、ポリリアリレート、ポリメタクリレート、ポリスチレン、ポリアクリロニトリル、ポリ塩化ビニル、ポリフッ化ビニリデン、ポリエーテル、ポリエステル、ポリビニルピロリドン、ポリエチレンフタレート、ポリアクリルアミド、ポリスルホン、ポリアクリル酸、ポリカーボネート等である。
この中でも、ポリエチレン、ポリプロピレン、ポリアクリレート、ポリエチレンフタレートが弾性、耐磨耗性、屈曲回復性等の面から好ましい。
【００１３】
【実施例】
次に、本発明のブラシ付き容器入り塗布洗浄剤の実施例について説明する。
（１）塗布洗浄剤の調製
以下の実施例及び比較例で使用する塗布洗浄剤Ａ〜Ｃ（ただしＣは参考のための塗布洗浄剤である）を、各成分にバランス量のイオン交換水を添加して、表１に示す組成により調製した。
【００１４】
【表１】
塗布洗浄剤の組成（単位：重量％）
0003977902.tif 000002
【００１５】
（２）ブラシの仕様
本発明の実施例及び比較例に用いたブラシの仕様を表２に示す。
【００１６】
【表２】
ブラシの仕様（材質：ポリエチレン）
0003977902.tif 000003
【００１７】
（３）ブラシ付き容器入り塗布洗浄剤の性能評価
上記のように調製した塗布洗浄剤とブラシとを組み合わせて、以下に示す実施例１〜３及び比較例１につき、洗浄力にかんする評価を行なった。評価方法は次のとおりとした。
黒土汚垢布（綿メリヤス布）１０枚を使用して、評価を行なった。ブラシ付き洗浄剤を用いて黒土汚垢布を２０回ブラシング洗浄した後、市販の洗剤（ライオン株式会社製スーパートップ）を用いて洗濯機洗浄（２５℃、洗浄１０分、流水濯ぎ３分）を行なった。洗浄前後の反射率を測定し、次式により求めた値の平均値を洗浄力とした。
洗浄率（％）＝（洗浄布の反射率−汚垢布の反射率）／（清浄布の反射率−汚垢布の反射率）
評価結果を表３に示す。
【００１８】
【表３】
評価結果
0003977902.tif 000004
なお、実施例のブラシ付き容器入り塗布洗浄剤は、衣類に損傷を与えるものではなく、またブラシのへたりについても良好であった。
【００１９】
なお、本発明は、下記の構成によって実現するのが好ましい。
〔１〕ブラシの先端の角度が１０〜６０度の範囲内であることを特徴とするブラシ付き容器入り塗布洗浄剤。
〔２〕ブラシの根本の太さが０．５〜２ｍｍの範囲内であることを特徴とするブラシ付き容器入り塗布洗浄剤。
【００２０】
【発明の効果】
本発明は、以上説明したように、ブラシ付き容器入り塗布洗浄剤において、上記のような構成としたので、以下に記載する効果を有する。
（１）本発明のブラシ付き容器入り塗布洗浄剤は、靴下等、繊維製品の泥汚れに対し良好な洗浄力を発揮する。
（２）本発明のブラシ付き容器入り塗布洗浄剤は、繊維に損傷を与えることがない。
【００２１】
【図面の簡単な説明】
【図１】本発明のブラシ付き容器入り塗布洗浄剤の実施の形態の断面図ある。
【図２】本発明の実施例のブラシ（Ｐ）の形状を示す拡大図であり、図２（ａ）は幅方向を特に大きく拡大して示す側面図であり、図２（ｂ）はＥ−Ｅ部における断面図である。
【図３】本発明の実施例のブラシ（Ｑ）の形状を示す拡大図であり、図３（ａ）は幅方向を特に大きく拡大して示す側面図であり、図３（ｂ）はＥ−Ｅ部における断面図である。
【図４】本発明の実施例のブラシ（Ｒ）の形状を示す拡大図であり、図４（ａ）は幅方向を特に大きく拡大して示す側面図であり、図４（ｂ）はＥ−Ｅ部における断面図である。
【符号の説明】
１００  ブラシ付き容器入り塗布洗浄剤
１０２  容器本体
１０２ａ  底部
１０２ｂ  胴部
１０２ｃ  開口部
１０４  塗布洗浄剤
１０６  塗布体
１０６ｃ  液流出孔
１１０  ブラシ
１１０ａ  取付部
１１０ｂ  刷毛部
【図１】
0003977902.tif 000005
【図２】
0003977902.tif 000006
【図３】
0003977902.tif 000007
【図４】
0003977902.tif 000008